(57)【要約】 【課題】  筐体の内部に侵入する静電気を確実に防止し、カメラモジュールの動作の信頼性を向上させることができる撮像装置を提供することを目的とする。【解決手段】  開口部１３が形成された筐体４と、筐体４の内部に配置されたカメラモジュール２２と、カメラモジュール２２に給電を行う基板２１とが備えられ、開口部１３を通してカメラモジュール２２により撮像を行う撮像装置において、開口部１３周囲には少なくとも表面部が導電材料からなる外装部材１７が設けられ、外装部材１７は基板２１に形成されたグランドライン１１に電気的に接続されている。【選択図】      図１２
2005109996.tif 000002
【特許請求の範囲】
【請求項１】
開口部が形成された筐体と、該筐体の内部に配置されたカメラモジュールと、該カメラモジュールに給電を行う基板とが備えられ、前記開口部を通して前記カメラモジュールにより撮像を行う撮像装置において、
前記開口部周囲には少なくとも表面部が導電材料からなる外装部材が設けられ、該外装部材は前記基板に形成されたグランドラインに電気的に接続されていることを特徴とする撮像装置。
【請求項２】
前記外装部材の前記筐体に取り付けられる面には、前記外装部材の表面と電気的に接続される延在部が形成され、
前記筐体の前記外装部材が取り付けられる面には、前記延在部が挿通される貫通孔が形成され、前記延在部は前記グランドラインに電気的に接続されていることを特徴とする請求項１記載の撮像装置。
【請求項３】
前記カメラモジュールは、少なくとも表面部が導電性材料からなるとともに前記グランドラインに電気的に接続されたホルダーに保持され、該ホルダーは前記延在部に電気的に接続されていることを特徴とする請求項２記載の撮像装置。
【請求項４】
前記筐体は、前記外装部材が設けられた第１のケースと、前記カメラモジュール及び前記基板がそれぞれ設けられた第２のケースとが嵌合されて構成され、前記ホルダーの上面端部には弾性を有する第１の腕部が設けられ、
前記第１のケースと前記第２のケースとが嵌合された際には前記第１の腕部が前記延在部に対し付勢された状態で当接され、前記外装部材は前記第１の腕部及び前記延在部を介して前記ホルダーに電気的に接続されることを特徴とする請求項３記載の撮像装置。
【請求項５】
前記ホルダーの下面端部には弾性を有する第２の腕部が形成され、
前記第１のケースと前記第２のケースとが嵌合された際には前記第２の腕部が前記グランドラインに対し付勢された状態で当接され、前記ホルダーは前記第２の腕部を介して前記グランドラインに電気的に接続されることを特徴とする請求項４記載の撮像装置。
【発明の詳細な説明】
【技術分野】
【０００１】
本発明は、静電気の筐体内への浸入が防止されている撮像装置に関する。
【背景技術】
【０００２】
近年、カメラ付きの携帯電話やデジタルカメラが広く提供されているが、指などが接触したときに生じる静電気が携帯電話の内部に内蔵されたＣＣＤやＣＭＯＳ等のセンサーに伝達されると、これらのセンサーが破損するおそれがある。従来、携帯電話の内部に静電気が加わる問題を防止するため、筐体にシールド蒸着（金属蒸着）を施すとともに、筐体と基板上のグランドラインとをリード線等で接続しており、このような構成により、当該携帯電話の周りに発生する静電気を筐体に落とし、そして筐体に落ちた静電気をリード線等を介してグランドラインに導いている。これによって、当該携帯電話の周りに発生する静電気が携帯電話の内部に内蔵されたＣＣＤやＣＭＯＳ等のセンサーに伝達されることを防止している。
【０００３】
また、デジタルカメラの内部に静電気が伝達される問題を防止するため、カメラを操作する樹脂製の操作ボタンのうち指が接触する操作面を金属蒸着させる方法が提供されている。この方法によれば、指で操作ボタンの操作を行って操作ボタンがスイッチ端子に近接する際に両者間に発生する静電気の放電は抑止される。これによって、静電気によるカメラの誤作動を低減することができる（例えば、特許文献１参照。）。
【特許文献１】特開平１１−３０８０３号公報  （第２−４頁、第４図）
【発明の開示】
【発明が解決しようとする課題】
【０００４】
しかしながら、上記した従来の静電気防止方法では、カメラモジュールにより撮影するために筐体には開口部が形成され、当該開口部から筐体の内部に静電気が侵入するという問題が存在する。したがって、カメラモジュールの誤作動や破損を確実に防止することができず、カメラモジュールの動作の信頼性が低くなる。また、筐体ケース全体に金属蒸着を施すには相当のコストがかかる上、デザイン上の自由度も低下するという問題が存在する。
【０００５】
本発明は、上記した従来の問題が考慮されたものであり、筐体の内部に侵入する静電気を確実に防止し、カメラモジュールの動作の信頼性を向上させることができる撮像装置を提供することを目的としている。
【課題を解決するための手段】
【０００６】
本発明は、開口部が形成された筐体と、該筐体の内部に配置されたカメラモジュールと、該カメラモジュールに給電を行う基板とが備えられ、前記開口部を通して前記カメラモジュールにより撮像を行う撮像装置において、前記開口部周囲には少なくとも表面部が導電性材料からなる外装部材が設けられ、該外装部材は前記基板に形成されたグランドラインに電気的に接続されていることを特徴としている。
【０００７】
また、本発明は、前記外装部材の前記筐体に取り付けられる面には、前記外装部材の表面と電気的に接続される延在部が形成され、前記筐体の前記外装部材が取り付けられる面には、前記延在部が挿通される貫通孔が形成され、前記延在部は前記グランドラインに電気的に接続されていることが好ましい。
【０００８】
また、本発明は、前記カメラモジュールは、少なくとも表面部が導電性材料からなるとともに前記グランドラインに電気的に接続されたホルダーに保持され、該ホルダーは前記延在部に電気的に接続されていることが好ましい。
【０００９】
また、本発明は、前記筐体は、前記外装部材が設けられた第１のケースと、前記カメラモジュール及び前記基板がそれぞれ設けられた第２のケースとが嵌合されて構成され、前記ホルダーの上面端部には弾性を有する第１の腕部が設けられ、前記第１のケースと前記第２のケースとが嵌合された際には前記第１の腕部が前記延在部に対し付勢された状態で当接され、前記外装部材は前記第１の腕部及び前記延在部を介して前記ホルダーに電気的に接続されることが好ましい。
【００１０】
また、本発明は、前記ホルダーの下面端部には弾性を有する第２の腕部が形成され、前記第１のケースと前記第２のケースとが嵌合された際には前記第２の腕部が前記グランドラインに対し付勢された状態で当接され、前記ホルダーは前記第２の腕部を介して前記グランドラインに電気的に接続されることが好ましい。
【発明の効果】
【００１１】
本発明に係る撮像装置によれば、必然的に開口される筐体の開口部から静電気が浸入することはなく、カメラモジュールに静電気が伝わることはないため、カメラモジュールの破損や誤作動を確実に抑止することができ、カメラモジュールの動作の信頼性を向上させることができる。
【発明を実施するための最良の形態】
【００１２】
以下、本発明に係る撮像装置の実施の形態について、図面に基いて説明する。
【００１３】
図１は本発明に係る撮像装置の実施の形態であるカメラ付きの携帯電話１を表す図である。図１に示すように、携帯電話１には、第１のケース２と第２のケース３とが嵌合されて形成される筐体４と、筐体４に形成された液晶画面５と、カメラフィルター６等からなるカメラ部７と、操作ボタン８等からなる電話部９とが備えられている。携帯電話１は２つの筐体４ａ、４ｂとが回転軸１０を軸に回転式に形成されており、一方の筐体４ａの面には液晶画面５が形成されており、他方の筐体４ｂの一面には操作ボタン８が形成されて他面にはカメラフィルター６が形成されている。
【００１４】
図２は、筐体４ｂの第１のケース２の外側面の一部を表す斜視図である。図２に示すように、第１のケース１には円形状のフィルター嵌装窪部１２が形成されている。フィルター嵌装窪部１２の底面の底面中央にはフィルター嵌装窪部１２より一回り小さい円形状の円形開口部１３が形成されており、円形開口部１３の側方のフィルター嵌装窪部１２底面には矩形状の矩形貫通孔１４が形成されている。また、フィルター嵌装窪部１２周りの第１のケース２の外側面には、フィルター嵌装窪部１２の外周に沿って立上り部１５が形成されている。
【００１５】
図３は、他方の筐体４ｂの第１のケース２にカメラフィルター６が取り付けられた状態を表す第１のケース２の外側面の斜視図であり、図４は、他方の筐体４ｂの第１の筐体ケース２にカメラフィルター６が取り付けられた状態を表す第１の筐体ケース２の内側面の斜視図である。図３、図４に示すように、第１のケース２に形成されたフィルター嵌装窪部１２内にはカメラフィルター６が、円形開口部１３に略透明なフィルター本体１８が位置するように嵌装されている。
【００１６】
図５は、カメラフィルター６の表面を表す斜視図であり、図６は、カメラフィルター６の裏面を表す斜視図である。図４、図５、図６に示すように、カメラフィルター６は、導電性を有する円枠状の外装部材１７と、外装部材１７内に嵌装されるフィルター本体１８とから構成されている。外装部材１７は、例えば金属等の導電性材料からなり、外装部材１７の平面部には円形の開口１７ａが形成されており、第１のケース２に形成された円形開口部１３は外装部材１７に連通されている。また、外装部材１７の平面部の表面には文字や記号等からなる装飾等１７ｂが施されている。また、外装部材１７の側面部には、かぎ状に形成された延在部１９が形成されている。延在部１９は、当該側面部の下端から下方に垂設され（図５）、先端が外側に向かってＬ字状に屈曲されている。
【００１７】
フィルター本体１８は外装部材１７の部内周円に相当する大きさの円形状に形成されており、その厚みは外装部材１７の側面部の高さを超えない厚さに形成されており、フィルター本体１８の表面は外装部材１７の平面部表面より内側に形成されて外装部材１７の方が外方に突出されている。フィルター本体１８の表面の外縁部は外装部材１７に密着されており、外装部材１７及びフィルター本体１８の外周部の裏面には環状の両面テープ２０が貼着されている。
【００１８】
図３、図４に示すように、上記したカメラフィルター６は第１のケース２に形成されたフィルター嵌装窪部１２内に嵌め込まれており、カメラフィルター６の表面は第１のケース２の外側に露出されている。このとき、フィルター本体１８の裏面とフィルター嵌装窪部１２の底面との間には図６に示す両面テープ２０が介在され、両面テープ２０の粘着力によってカメラフィルター６はフィルター嵌装窪部１２に接合される。また、外装部材１７の延在部１９はフィルター嵌装窪部１２底面に形成された矩形貫通孔１４内に挿通されて第１のケース２の内側に張り出されており、延在部１９は矩形貫通孔１４に掛止されている。また、外装部材１７の開口１７ａとフィルター嵌装窪部１２の円形開口部１３とは対向する位置に形成されており、筐体４ｂ外の光はフィルター本体１８の中央部を通過して筐体４ｂ内に透過される。
【００１９】
一方、図１に示す第２のケース３内には、板状の基板２１と、基板２１に搭載されたカメラモジュール２２とが設けられている。図７は基板２１に搭載されたカメラモジュール２２を一方から観た斜視図であり、図８は基板２１に搭載されたカメラモジュール２２を他方向から観た斜視図である。図７、図８に示すように、基板２１の上面にはパターン形成されたグランドライン１１が形成されており、また、基板２１には矩形の開口２１ａが形成されている。この開口２１ａにはレンズ部分２２ａ等からなるカメラモジュール２２の下端が挿通されている。カメラモジュール２２は、カメラモジュール２２の周囲に形成されるホルダー２３に保持されており、ホルダー２３は表面部が導電性材料で形成された樹脂材からなり、例えば樹脂製の基材の表面に金属蒸着が施されて金属膜が形成されている。なお、ホルダー２３は、当然ダイキャスト成形された金属等で形成してもよい。
【００２０】
図９は、ホルダー２３を一方から観た斜視図であり、図１０は、ホルダー２３を他方から観た斜視図である。図７、図８、図９、図１０に示すように、ホルダー２３は、円形状の開口２４ａを有する上蓋部２４と、カメラモジュール２２を両側方から挟み込む側壁部２５と、側壁部２５の外側面上端に付設された導電性を有する第１の腕部２６と、側壁部２５の外側面下端に付設された導電性を有する第２の腕部２７とが一体に形成されてなっている。
【００２１】
上蓋部２４は、図４に示すカメラフィルター６の裏面に対向して形成されており、カメラモジュール２２の上から被せられ、開口２４ａにはレンズ部分２２ａが形成されたカメラモジュール２２の上端が挿通されている。上蓋部２４の両側部には側壁部２５がそれぞれ垂設されており、側壁部２５はカメラモジュール２２の側面にそれぞれ対向されてカメラモジュール２２を囲うように形成されている。側壁部２５の内側面には、カメラモジュール２２に掛止されてカメラモジュール２２をホルダー２３に仮固定するための凸状のカメラモジュール仮固定爪２８が形成されており、側壁部２５の外側面には、基板２１に掛止されてホルダー２３を基板２１に仮固定するための凸状のカメラホルダー仮固定爪２９が形成されている。
【００２２】
側壁部２５の外側面から張り出されている第１の腕部２６は弾性を有するものから形成されており、側壁部２５に接合された基端を軸に上下方向に撓る構成で形成されている。また、第１の腕部２６は表面部が導電性材料で形成されており、例えばロッド状の樹脂材の表面に金属蒸着が施された構成からなっている。第１の腕部２６の形状は、基端が水平方向に屈曲され、中間及び先端が側壁部２５に沿って水平に延在されている。このような形状の第１の腕部２６は上方に配置される延在部１９の方向に付勢される。また、第１の腕部２６の先端上面には半球状の接触部２６ａが形成されている。
【００２３】
また、側壁部２５の外側面から張り出されている第２の腕部２７は、第１の腕部２６と同様に基端を軸に上下方向に撓る弾性を有するとともに表面が導電性を有するものから形成されている。側壁部２５に接合された第２の腕部２７の形状は、基端が垂直下方向に屈曲されて更に水平方向に屈曲され、中間及び先端が側壁部２５に沿って水平に延在されている。このような形状の第２の腕部２７は基板２１方向に弾性される。また、第２の腕部２７の先端下面には半球状の接触部２７ａが形成されている。なお、この例では、第１及び第２の腕部２６、２７はホルダー２３に一体成形されており、この場合は、ホルダー２３全体を金属蒸着させることにより金属膜を形成し、第１及び第２の腕部２６、２７にも導電性を持たせることができ、工程は簡単になる。
【００２４】
図１１は、基板２１にカメラモジュール２２が搭載された状態を表す斜視図であり、図１２は、基板２１にカメラモジュール２２が搭載された状態を表す断面図である。なお、図１１においては第１のケース２が省略されており、図１１に示すカメラフィルター６は第１のケース２に嵌装された状態のものである。図１１、図１２に示すように、第１のケース２と第２のケース３とが嵌合された際には、弾性を有する第１の腕部２６は接触部２６ａを介して第１のケース２に嵌装された外装部材１７の延在部１９に接触され、第１の腕部２６が延在部１９に対して付勢された状態で当接されている。また、弾性を有する第２の腕部２７は接触部２７ａを介して基板２１上に形成されたグランドライン１１に接触され、第２の腕部２７がグランドライン１１に対して付勢された状態で当接されている。
【００２５】
外装部材１７は延在部１９及び第１の腕部２６を介してホルダー２３に電気的に接続されており、ホルダー２３は第２の腕部２７を介して基板２１上に形成されたグランドライン１１に電気的に接続されている。よって、延在部１９はホルダー２３に電気的に接続され、延在部１９はグランドライン１１に電気的に接続され、外装部材１７はグランドライン１１に電気的に接続されている。また、カメラモジュール２２のレンズ部分２２ａは、カメラフィルター６（フィルター嵌装窪部１２の円形開口部１３及び外装部材１７の開口１７ａ内に形成されたフィルター本体１８の中央部）に対向されている。また、カメラモジュール２２にはホルダー２３外に配置されるフレキシブル基板３０に接続されて基板２１に接続され給電されている。
【００２６】
次に、上記した構成からなる携帯電話１の製造方法について説明する。
【００２７】
まず、図５、図６に示すカメラフィルター６を組み立てる工程を行う。具体的には、図５、図６に示すように、外装部材１７の中にフィルター本体１８を嵌め込み、外装部材１７とフィルター本体１８とを圧着させる。そして、外装部材１７の平面部裏面に対向するフィルター本体１８の表面の中央部を外装部材１７の開口１７ａにより露出させ、反対側のフィルター本体１８の裏面には環状の両面テープ２０を貼着する。
【００２８】
次に、図５、図６に示すカメラフィルター６を図２に示す第１のケース２に取り付ける工程を行う。具体的には、図３、図４に示すように、両面テープ２０が貼着されたカメラフィルター６の裏面がフィルター嵌装窪部２の底面に対向するようにカメラフィルター６をフィルター嵌装窪部１２内に立上り部１５に沿って嵌入させる。このとき、外装部材１７に形成された延在部１９をフィルター嵌装窪部１２に形成された矩形貫通孔１４に挿通させ、延在部１９を筐体４ｂ内に張り出させるとともに、矩形貫通孔１４に掛止させる。また、カメラフィルター６の裏面に貼着された両面テープ２０の粘着力によってカメラフィルター６をフィルター嵌装窪部１２内に接合する。
【００２９】
一方、図９、図１０に示すホルダー２３によってカメラモジュール２２を保持する工程を行う。具体的には、図７、図８に示すように、カメラモジュール２２にホルダー２３を上から被せ、ホルダー２３にカメラモジュール２２を仮固定する。このとき、ホルダー２３の上蓋部２４に形成された開口２４ａにレンズ部分２２ａが形成されたカメラモジュール２２の上端を挿通させるとともに、ホルダー２３の側壁部２５の内側面に突設された図９、図１０に示すカメラモジュール仮固定爪２８をカメラモジュール２２に掛止させる。
【００３０】
次に、ホルダー２３に保持されたカメラモジュール２２を第２のケース３内に形成された基板２１に搭載する工程を行う。具体的には、図７、図８に示すように、基板２１に形成された開口２１ａにカメラモジュール２２の下端を挿通させ、ホルダー２３の側壁部２５に付設された第２の腕部２７を当該第２の腕部２７の先端に形成された接触部２７ａを介して基板２１に接触させる。このとき、ホルダー２３の側壁部２５に突設された図９、図１０に示すカメラホルダー仮固定爪２９を基板２１下面の開口２１ａ周りに掛止させる。
【００３１】
次に、第１のケース２と第２のケース３とを嵌合し、第２のケース３内に搭載されたカメラモジュール２２の上方に、第１のケース２に嵌装されたカメラフィルター６を配置する工程を行う。具体的には、図１１、図１２に示すように、上記した工程により予めカメラフィルター６が嵌装された第１のケース２を第２のケース３に向かい合わせで嵌合させ、カメラフィルター６をカメラモジュール２２の上端に形成されたレンズ部分２２ａに対向させる。このとき、フィルター嵌装窪部１２の矩形貫通孔１４から張り出された外装部材１７の延在部１９をホルダー２３の側壁部２５に付設された第１の腕部２６の先端に接触部２６ａを介して接触させる。
【００３２】
なお、上記した実施の形態では、カメラフィルター６を第１のケース２に嵌装する工程を先に行い、その後に第１のケース２と第２のケース３とを嵌合する工程を行っているが、本発明は、上記したカメラフィルター６を第１のケース２に嵌装する工程を第１のケース２と第２のケース３とを嵌合する工程の後に行ってもよい。また、上記した実施の形態では、フィルター本体１８として、フィルターの例で示したが、本発明は、レンズや透明のレンズカバーであってもよい。また、カメラフィルター６は金属蒸着であっても、金属製であってもよく、要は露出される表面が金属膜等による導電性をもち、且つ表面と延在部１９とが電気的に接続されていればよい。
【００３３】
上記した構成からなる携帯電話１によれば、外装部材１７は導電性を有する金属製のものから形成されているため、樹脂製の筐体４であっても、指等は始めに外装部材１７に接触するため、指等が接触することで発生する静電気は先に逃がすことができ、指等がレンズ部分２２ａに直接触れてレンズ部分２２ａ越しにカメラモジュール２２内のセンサー等に静電気が浸入することはなく、カメラモジュール２２の破損や誤作動を防止することができる。また、必然的に開口される筐体４ｂの円形開口部１３近傍で発生する静電気は外装部材１７に落ち、静電気は逃がされ、円形開口部１３から静電気が浸入することはなく、カメラモジュール２２の破損や誤作動を防止することができ、動作の信頼性の高い携帯電話１を提供することができる。
【００３４】
また、外装部材１７にはグランドライン１１に電気的に接続された延在部１９が形成されているため、筐体４ｂ外に形成された外装部材１７に落ちた静電気は筐体４ｂ内のグランドライン１１に導かれる。また、円形の外装部材１７の向きを合わせることは難しいが、延在部１９が第１の腕部２６の接触部２６ａに合致する向きでカメラフィルター６は配置されるため、外装部材１７に形成された装飾等１７ｂの向きを容易に合わせることができ、装飾等１７ｂの上下左右を誤ることなく筐体４ｂに両面テープ２０接着することができる。
【００３５】
また、カメラモジュール２２は導電性を有するホルダー２３に保持されているため、グランドライン１１を外装部材１７のところまで延長することはない。また、カメラモジュール２２を囲う導電性を有するホルダー２３はシールドとしての役割も果たしているため、どの方向からの静電気の浸入も防止することができる。よって、筐体４全体に金属蒸着を施す必要はなく、金属蒸着量を軽減することができ、コストの低減を図ることができる。
【００３６】
また、ホルダー２３には弾性を有する第１の腕部２６が形成されており、第１の腕部２６は延在部１９に接触されているため、第１のケース２と第２のケース３とを嵌合させた際に、第１の腕部２６が延在部１９を付勢した状態で導通され、外装部材１７からホルダー２３への静電気の経路を確実に確保される。このため、複雑な配線は不要となり、且つ確実な接触が得られる。また、第１の腕部２６は延在部１９に接触されているため、カメラモジュール２２を保持するホルダー２３は確実に固定することができる。さらに、当該携帯電話１が落下した際に、ホルダー２３に保持されたカメラモジュール２２への衝撃は、第１の腕部２６の弾性により緩和することができる。さらには、ホルダー２３自体も導電性を有するため、内部に保持するカメラモジュール２２に対し、シールド効果も得られる。
【００３７】
また、ホルダー２３には弾性を有する第２の腕部２７が形成されており、第２の腕部２７は基板２１上のグランドライン１１に接触されているため、カメラモジュール２２を保持するホルダー２３は第１の腕部２６及び第２の腕部２７により上下反対方向にそれぞれ付勢されるとともに、ホルダー２３から基板２１上のグランドライン１１への静電気の経路は確実に確保される。これによって、ホルダー２３は突張った状態で固定することができ、より確実にカメラモジュール２２を所定位置に保持することができ、また、ホルダー２３に落ちた静電気を確実にグランドライン１１に導くことができる。
【００３８】
また、外装部材１７の表面に文字、記号、図形または線等からなる装飾等１７ｂが施されているため、筐体ケース１が嵌合されて内部の状況が目視により確認できない場合にも、装飾等１７ｂの向きを確認することで、延在部１９と第１の腕部２６とが接触している否かの確認を行うことができる。
【００３９】
以上、本発明に係る撮像装置の実施の形態である携帯電話１について説明したが、本発明は上記した実施の形態に限定されるものではなく、その趣旨を逸脱しない範囲で適宜変更可能である。例えば、上記した実施の形態では、金属製の外装部材１７を使用しているが、本発明は、樹脂製の基材の表面に金属蒸着を施して、導電性を有する外装部材を形成してもよい。また、上記した実施の形態では、ホルダー２３や第１の腕部２６や第２の腕部２７はそれぞれ樹脂製の基材に金属蒸着が施されて形成されているが、本発明は、金属製のホルダーや第１の腕部や第２の腕部を使用してもよく、この場合、第１の腕部や第２の腕部は薄い鋼板等で撓み易い材料を使用して弾性を持たせてもよい。
【００４０】
また、上記した実施の形態では、延在部１９及び第１の腕部２６はそれぞれ一つだけ形成されているが、本発明は延在部及び第１の腕部をそれぞれ複数形成してもよい。また、延在部または第１の腕部のうちの何れか一方の接触面を長くして、当該接触面に複数の延在部または複数の第１の腕部を接触させてもよい。これによって、カメラフィルターが多少回転しても延在部と第１の腕部とが離れることはなく、外装部材１７からホルダー２３への静電気の経路を確実に確保することができる。
【００４１】
また、上記した実施の形態では、ホルダー２３は、２つの側壁部２５によってカメラモジュール２２の両側方を挟み込む構成からなっているが、本発明は、ホルダーを筒状に形成してもよく、筒状のホルダー内にカメラモジュール２２を挿通させてもよい。また、上記した実施の形態では、ホルダー２３を構成する上蓋部２４と側壁部２５とが一体に形成されているが、本発明は、カメラモジュールのそれぞれの面に対向する上蓋部や側壁部を各々脱着可能に組み立てて形成されるホルダーを使用してもよい。
【００４２】
また、本発明に係る撮像装置は、上記した携帯電話１に限らず、デジタルカメラやビデオカメラ、ノート型パソコン等のその他の電子機器でもよい。
【図面の簡単な説明】
【００４３】
【図１】本発明の実施形態における撮像装置を表す外観図である。
【図２】本発明の実施形態における第１のケースの表面を表す斜視図である。
【図３】本発明の実施形態におけるカメラフィルターが嵌装された第１のケースの表面を表す斜視図である。
【図４】本発明の実施形態におけるカメラフィルターが嵌装された第１のケースの裏面を表す斜視図である。
【図５】本発明の実施形態におけるカメラフィルターの表面を表す斜視図である。
【図６】本発明の実施形態におけるカメラフィルターの裏面を表す斜視図である。
【図７】本発明の実施形態における基板にカメラモジュールが搭載された状態を表す斜視図である。
【図８】本発明の実施形態における基板にカメラモジュールが搭載された状態を表す斜視図である。
【図９】本発明の実施形態におけるホルダーを表す斜視図である。
【図１０】本発明の実施形態におけるホルダーを表す斜視図である。
【図１１】本発明の実施形態における筐体内部を表す斜視図である。
【図１２】本発明の実施形態における筐体内部を表す断面図である。
【符号の説明】
【００４４】
１  携帯電話（撮像装置）
２  第１のケース
３  第２のケース
４（４ａ、４ｂ）  筐体
１１  グランドライン
１３  円形開口部（開口部）
１４  矩形貫通孔（貫通孔）
１７  外装部材
１９  延在部
２１  基板
２２  カメラモジュール
２３  ホルダー
２６  第１の腕部
２７  第２の腕部
【図１】
2005109996.tif 000003
【図２】
2005109996.tif 000004
【図３】
2005109996.tif 000005
【図４】
2005109996.tif 000006
【図５】
2005109996.tif 000007
【図６】
2005109996.tif 000008
【図７】
2005109996.tif 000009
【図８】
2005109996.tif 000010
【図９】
2005109996.tif 000011
【図１０】
2005109996.tif 000012
【図１１】
2005109996.tif 000013
【図１２】
2005109996.tif 000014